(57)【特許請求の範囲】
【請求項１】
基準発振器の基準クロックと位相同期した発振信号を、変調器によりスペクトラム拡散させるクロック信号回路において、前記クロック信号回路内に、位相同期の制御範囲を決定する低域通過フィルタに加えて、前記基準発振器の高調波信号を抑制する高調波フィルタを設けたことを特徴とするクロック信号回路。
【請求項２】
基準クロックを発振する基準発振器と、位相比較器と、低域通過フィルタと、入力信号をスペクトラム拡散する周波数変調器と、印加電圧により発振周波数が制御される電圧制御発振器と、分周器とを少なくとも有し、
前記基準発振器から送出される基準クロック信号の位相と前記電圧制御発振器から前記分周器を介して送出される信号の位相とが前記位相比較器により比較されて位相差に応じた信号が送出され、前記送出された信号が前記低域通過フィルタと前記周波数変調器を介して前記電圧制御発振器に入力されるスペクトラム拡散機能付き位相同期発振器を含むクロック信号回路において、
前記クロック信号回路の信号伝達経路の少なくとも一部に、前記基準発振器の高調波信号を抑制する高調波フィルタを備えたことを特徴とするクロック信号回路。
【請求項３】
前記周波数変調器と前記電圧制御発振器との間に、前記高調波フィルタを備えたことを特徴とする請求項２記載のクロック信号回路。
【請求項４】
前記電圧制御発振器と前記分周器との間に、前記高調波フィルタを備えたことを特徴とする請求項２又は３に記載のクロック信号回路。
【請求項５】
前記位相比較器と前記低域通過フィルタとの間に、前記高調波フィルタを備えたことを特徴とする請求項２乃至４のいずれか一に記載のクロック信号回路。
【請求項６】
前記基準発振器の電源端子と、前記位相比較器と前記低域通過フィルタと前記周波数変調器と前記電圧制御発振器と前記分周器とで構成される位相同期回路の電源回路との間に、前記高調波フィルタを備えたことを特徴とする請求項２乃至５のいずれか一に記載のクロック信号回路。
【請求項７】
前記高調波フィルタにより、放射ノイズを増加させることなく高調波ノイズが抑制されることを特徴とする請求項１乃至６のいずれか一に記載のクロック信号回路。
【請求項８】
請求項１乃至７のいずれか一に記載のクロック信号回路を搭載したことを特徴とする電子装置搭載機器。
【発明の詳細な説明】
【０００１】
【発明の属する技術分野】
本発明は、クロック信号回路及び該クロック信号回路を搭載した電子装置搭載機器に関し、特に、スペクトラム拡散機能付き位相同期発振器からなるクロック信号回路及び該クロック信号回路を搭載した電子装置搭載機器に関する。
【０００２】
【従来の技術】
パーソナルコンピュータやワークステーションの情報処理機器等の電子装置搭載機器には、機器から放射されるノイズにより他の機器が誤動作を引き起こさないように、放射ノイズレベルが規定値以下になるように規格が定められている。一方、電子装置搭載機器には、内部回路や外部回路との同期動作を実現するためにクロック信号回路が搭載されており、このクロック信号回路からのクロック信号高調波が、機器からのノイズ放射要因となっている。
【０００３】
このクロック信号高調波レベルを抑制する対策として、近年、スペクトラム拡散機能を有する位相同期発振器をクロック信号回路として使用する電子装置搭載機器が増加している。このスペクトラム拡散機能付き位相同期発振器をクロック信号回路とした電子装置搭載機器について、図７乃至図１０を参照して説明する。
【０００４】
図７は、従来例における電子装置搭載機器のクロック信号回路であるスペクトラム拡散機能付き位相同期発振器のブロック図を示している。同図において、位相同期発振器は、基準発振器７１、位相比較器７２、低域通過フィルタ７３、変調器７４、分周器７５及び電圧制御発振器７６から構成されている。
【０００５】
電圧制御発振器７６で発生した発振信号は、分周器７５により、分周される。分周された分周信号と基準発振器７１の発振信号は位相比較器７２により位相比較される。位相比較器７２からは位相差に応じた電圧が出力される。
【０００６】
出力された位相差電圧は、位相同期の制御範囲を決定する機能を有する低域通過フィルタ７３及び変調器７４を介して電圧制御発振器７６の電圧制御部に印加される。印加された電圧により電圧制御発振器７６の発振周波数が変化し、位相同期発振器として位相が同期した状態となる。そして、基準発振器７１の安定度に同期した位相同期発振信号が、出力端子７７から出力される。
【０００７】
図８に、５０ＭＨｚ位相同期発振器の出力信号スペクトラムを示す。図において、点線のスペクトラム８１が位相同期発振信号であり、側波帯にスペクトラムの広がりを持たない安定した信号であることがわかる。
【０００８】
また、図９に位相同期発振器の出力信号高調波特性を示す。図において、点線のスペクトラムが位相同期発振信号の高調波スペクトラムである。この高調波が電子装置搭載機器の放射ノイズ要因となり、規定されたノイズレベル以下に抑制できないという問題が生じている。
【０００９】
この問題を解決するために、図７の低域通過フィルタ７３と電圧制御発振器７６との間に変調器７４を設け、変調信号を変調入力端子７８から入力することにより、電圧制御発振器７６の電圧制御部に印加される電圧が可変され、可変電圧に応じた電圧制御発振器７６の発振信号が変化するスペクトラム拡散機能を適用する方法がある。
【００１０】
図８の実線で示したスペクトラムが、±２．５％の周波数変調を行った変調信号スペクトラム８２であり、変調を行わないスペクトラム８１と変調信号スペクトラム８２とを比較すると、ピーク電力が変調により約７ｄＢ低下していることがわかる。
【００１１】
また、図９の実線で示した高調波スペクトラムが±２．５％の変調を行った変調信号の高調波スペクトラムである。
【００１２】
【発明が解決しようとする課題】
ところが、図９に示す変調信号の高調波スペクトラムは、変調無しの高調波スペクトラムと比較すると、高次になるに従って、変調によるレベル低減量が少なくなっていることがわかる。
【００１３】
図１０に、変調を行った５０ＭＨｚ位相同期発振器の出力信号の１３倍高調波６５０ＭＨｚスペクトラムを示す。図において、変調幅１０１の周波数変調が確認できる。また、それ以外に変調されないスペクトラム１０２が確認できる。これは基準発振器７１の発振信号高調波である。
【００１４】
この変調信号高調波に重畳した変調されない基準発振器７１の高調波信号により、スペクトラム拡散機能付き位相同期発振器を用いたクロック信号回路を搭載した電子装置搭載機器で、規定された放射ノイズレベルまで抑制することができない問題を招く恐れがある。
【００１５】
また、特開２０００−１０１４２４号公報に開示された構成は、クロック信号のスペクトラム拡散を実現し、電磁波輻射を低減できるクロック発生回路であるが、基準クロック信号の高調波は、構成する位相比較器、ローパスフィルタ、増幅器、分周器及びＶＣＯでは抑制することができない。従って、基準クロック信号高調波により、スペクトラム拡散機能を有するクロック発生回路であっても、電磁波輻射を低減できないという問題がある。
【００１６】
本発明は、上記問題点に鑑みてなされたものであって、その主たる目的は、クロック信号の高調波がスペクトラム拡散機能により十分に抑制され、規定されたノイズレベルより低減されたノイズ放射特性を持つクロック信号回路及び該クロック信号回路を搭載した電子装置搭載機器を提供することにある。
【００１７】
【課題を解決するための手段】
上記目的を達成するため、本発明のクロック信号回路は、基準発振器の基準クロックと位相同期した発振信号を、変調器によりスペクトラム拡散させるクロック信号回路において、前記クロック信号回路内に、位相同期の制御範囲を決定する低域通過フィルタに加えて、前記基準発振器の高調波信号を抑制する高調波フィルタを設けたものである。
【００１８】
また、本発明は、基準クロックを発振する基準発振器と、位相比較器と、低域通過フィルタと、入力信号をスペクトラム拡散する周波数変調器と、印加電圧により発振周波数が制御される電圧制御発振器と、分周器とを少なくとも有し、前記基準発振器から送出される基準クロック信号の位相と前記電圧制御発振器から前記分周器を介して送出される信号の位相とが前記位相比較器により比較されて位相差に応じた信号が送出され、前記送出された信号が前記低域通過フィルタと前記周波数変調器を介して前記電圧制御発振器に入力されるスペクトラム拡散機能付き位相同期発振器を含むクロック信号回路において、前記クロック信号回路の信号伝達経路の少なくとも一部に、前記基準発振器の高調波信号を抑制する高調波フィルタを備えたものである。
【００１９】
本発明においては、前記周波数変調器と前記電圧制御発振器との間に、前記高調波信号を抑制する高調波フィルタを備えた構成とすることができる。
【００２０】
また、本発明においては、前記電圧制御発振器と前記分周器との間に、前記高調波信号を抑制する高調波フィルタを備えた構成とすることもできる。
【００２１】
また、本発明においては、前記位相比較器と前記低域通過フィルタとの間に、前記高調波フィルタを備えた構成とすることもできる。
【００２２】
更に、本発明においては、前記基準発振器の電源端子と、前記位相比較器と前記低域通過フィルタと前記周波数変調器と前記電圧制御発振器と前記分周器とで構成される位相同期回路の電源回路との間に、前記高調波フィルタを備えた構成とすることもできる。
【００２３】
また、本発明においては、前記高調波フィルタにより、放射ノイズを増加させることなく高調波ノイズが抑制されることが好ましい。
【００２４】
また、本発明の電子装置搭載機器は、上記クロック信号回路を搭載したことを特徴とするものである。
【００２５】
このように、周波数変調器と電圧制御発振器との間、分周器と電圧制御発振器との間、位相比較器と低域通過フィルタとの間の少なくとも一部、例えば、周波数変調器と電圧制御発振器との間、分周器と電圧制御発振器との間、位相比較器と低域通過フィルタとの間のいずれか又は複数に高調波フィルタを設置することにより、基準発振器の信号高調波が、位相比較器、低域通過フィルタ及び変調器を通過しても、また、分周器を通過しても、高調波フィルタにより抑制され、電圧制御発振器には重畳しない。
【００２６】
また、基準発振器の電源端子と、位相比較器と周波数変調器と電圧制御発振器と分周器とで構成される位相同期回路の電源端子との間に高調波フィルタを設置することにより、基準発振器の電源端子に漏洩した基準発振器出力高調波は、高調波フィルタにより抑制され、位相同期回路用電源端子へは重畳しない。
【００２７】
これにより、位相同期発振器出力信号は、スペクトラム拡散機能により抑制された高調波信号となり、電子装置搭載機器に対して、放射ノイズ規格値が規定されている場合であっても、規格値以下のノイズとすることのできるという効果が得られる。
【００２８】
【発明の実施の形態】
本発明に係るクロック信号回路は、その好ましい一実施の形態において、基準クロックを発振する基準発振器１と、２つの信号の位相を比較し、位相差に応じた信号を送出する位相比較器２と、低周波数帯域の信号を通過させる低域通過フィルタ（ＬＰＦ）３と、入力信号をスペクトラム拡散する変調器４と、印加電圧により発振周波数が制御される電圧制御発振器７と、電圧制御発振器７からの信号を分周して位相比較器２に送出する分周器５とを少なくとも有するスペクトラム拡散機能付き位相同期発振器を用いたクロック回路において、クロック回路の信号伝達経路の少なくとも一部、例えば、変調器４と電圧制御発振器７との間に、基準発振器１の高調波信号を抑制する高調波フィルタ（ＬＰＦ）６を備え、基準発振器１の高調波信号が電圧制御発振器７の電圧制御端子に印加されることを防止し、変調入力端子８に入力された変調信号によるスペクトラム拡散された信号のみを出力することができる。以下に図面を参照して詳細に説明する。
【００２９】
［実施の形態１］
まず、本発明の第１の実施形態に係るクロック信号回路及び該クロック信号回路を搭載した電子装置搭載機器について、図１を参照して説明する。図１は、第１の実施形態における電子装置搭載機器のクロック信号回路用位相同期発振器のブロック図を示している。
【００３０】
図１に示すように、本実施の形態の位相同期発振器は、基準発振器１、位相比較器２、低域通過フィルタ３、変調器４、分周器５、高調波フィルタ６及び電圧制御発振器７から構成されている。また、変調器４には変調信号入力端子８、電圧制御発振器７には信号出力端子９を有している。以下、本実施の形態の動作につき説明する。
【００３１】
基準発振器１の発振信号は位相比較器２に入力される。一方、電圧制御発振器７の出力信号は、分周器５によって分周され、位相比較器２に入力される。位相比較器２に入力された基準発振器１の発振信号と分周器５の分周信号の位相が比較され、位相差に応じた信号電圧が、低域通過フィルタ３、変調器４、高調波フィルタ６を介して、電圧制御発振器７の電圧制御部に印加される。
【００３２】
そして、印加された電圧により、電圧制御発振器７の発振信号周波数が変化し、基準発振器１と位相同期した発振信号が出力端子９から出力される。
【００３３】
ここで、基準発振器１の出力信号には、基準信号周波数以外に整数倍の高調波信号を含んでおり、この高調波信号は、位相比較器２や、位相同期の制御範囲を決定する低域通過フィルタ３及び変調器４では抑制することができない。しかしながら、変調器４を通過した基準発振器１の高調波信号は、高調波フィルタ６により抑制され、電圧制御発振器７の電圧制御端子には印加されない。
【００３４】
従って、電圧制御発振器７の出力端子９から、変調入力端子８に入力された変調信号によるスペクトラム拡散された信号のみが出力される。これにより、電子装置搭載機器からの放射ノイズが低減され、規定されたノイズレベル以下に抑制されたノイズ特性とすることができる。
【００３５】
［実施の形態２］
次に、本発明の第２の実施形態に係るクロック信号回路及び該クロック信号回路を搭載した電子装置搭載機器について、図２を参照して説明する。図２は、第２の実施形態における電子装置搭載機器のクロック信号回路用位相同期発振器のブロック図を示している。
【００３６】
図２に示すように、本実施の形態の位相同期発振器は、基準発振器２１、位相比較器２２、低域通過フィルタ２３、変調器２４、分周器２５、高調波フィルタ２６及び電圧制御発振器２７から構成されている。また、変調器２４には、変調信号入力端子２８、電圧制御発振器２７には信号出力端子２９を有している。以下、本実施の形態の動作につき説明する。
【００３７】
基準発振器２１の発振信号は位相比較器２２に入力される。一方、電圧制御発振器２７の出力信号は、高調波フィルタ２６を通過し、分周器２５によって分周され、位相比較器２２に入力される。位相比較器２２に入力された基準発振器２１の発振信号と分周器２５の分周信号の位相が比較され、位相差に応じた信号電圧が、低域通過フィルタ２３、変調器２４を介して、電圧制御発振器２７の電圧制御部に印加される。
【００３８】
そして、印加された電圧により、電圧制御発振器２７の発振信号周波数が変化し、基準発振器と位相同期した発振信号が出力端子２９から出力される。
【００３９】
ここで、基準発振器２１の出力信号には、基準信号周波数以外に整数倍の高調波信号を含んでおり、この高調波信号は、分周器２５では抑制することができない。しかしながら、分周器２５を通過した基準発振器２１の高調波信号は、高調波フィルタ２６により抑制され、電圧制御発振器２７には重畳しない。
【００４０】
従って、電圧制御発振器２７の出力端子２９から、変調入力端子２８に入力された変調信号によるスペクトラム拡散された信号のみが出力される。これにより、電子装置搭載機器からの放射ノイズが低減され、規定されたノイズレベル以下に抑制されたノイズ特性とすることができる。
【００４１】
［実施の形態３］
次に、本発明の第３の実施形態に係るクロック信号回路及び該クロック信号回路を搭載した電子装置搭載機器について、図３を参照して説明する。図３は、本実施形態における電子装置搭載機器のクロック信号回路用位相同期発振器のブロック図を示している。
【００４２】
図３に示すように、本実施の形態の位相同期発振器は、基準発振器３１、位相比較器３２、低域通過フィルタ３３、変調器３４、分周器３５、高調波フィルタ３６、３７及び電圧制御発振器３８から構成されている。また、変調器３４には変調信号入力端子３９、電圧制御発振器３８には信号出力端子４０を有している。以下、本実施の形態の動作につき説明する。
【００４３】
基準発振器３１の発振信号は位相比較器３２に入力される。一方、電圧制御発振器３８の出力信号は、高調波フィルタ３６を通過し、分周器３５によって分周され、位相比較器３２に入力される。位相比較器３２に入力された基準発振器３１の発振信号と分周器３５の分周信号の位相が比較され、位相差に応じた信号電圧が、低域通過フィルタ３３、変調器３４、高調波フィルタ３７を介して、電圧制御発振器３８の電圧制御部に印加される。
【００４４】
そして、印加された電圧により、電圧制御発振器３８の発振信号周波数が変化し、基準発振器３１と位相同期した発振信号が出力端子４０から出力される。
【００４５】
ここで、基準発振器３１の出力信号には、基準信号周波数以外に整数倍の高調波信号を含んでおり、この高調波信号は、位相比較器３２や、位相同期の制御範囲を決定する低域通過フィルタ３３及び変調器３４では抑制することができない。しかしながら、変調器３４を通過した基準発振器の高調波信号は、高調波フィルタ３７により抑制され、電圧制御発振器３８の電圧制御端子には印加されない。これにより、電圧制御発振器３８の出力端子４０から、変調入力端子３９に入力された変調信号によるスペクトラム拡散された信号のみが出力される。
【００４６】
また、基準発振器３１の高調波信号は、分周器３５では抑制することができないが、分周器３５を通過した基準発振器３１の高調波信号は、高調波フィルタ３６により抑制され、電圧制御発振器３８には重畳しない。
【００４７】
従って、電圧制御発振器３８の出力端子４０から、変調入力端子３９に入力された変調信号によるスペクトラム拡散された信号のみが出力される。これにより、電子装置搭載機器からの放射ノイズが低減され、規定されたノイズレベル以下に抑制されたノイズ特性とすることができる。
【００４８】
［実施の形態４］
次に、本発明の第４の実施形態に係るクロック信号回路及び該クロック信号回路を搭載した電子装置搭載機器について、図４を参照して説明する。図４は、本実施形態における電子装置搭載機器のクロック信号回路用位相同期発振器のブロック図を示している。
【００４９】
図４に示すように、本実施の形態の位相同期発振器は、基準発振器４１、位相比較器４２、低域通過フィルタ４３、変調器４４、分周器４５、高調波フィルタ４６及び電圧制御発振器４７から構成されている。また、変調器４４には、変調信号入力端子４８、電圧制御発振器４７には信号出力端子４９を有している。以下、本実施の形態の動作につき説明する。
【００５０】
基準発振器４１の発振信号は位相比較器４２に入力される。一方、電圧制御発振器４７の出力信号は、分周器４５によって分周され、位相比較器４２に入力される。位相比較器４２に入力された基準発振器４１の発振信号と分周器４５の分周信号の位相が比較され、位相差に応じた信号電圧が、高調波フィルタ４６、低域通過フィルタ４３、変調器４４を介して、電圧制御発振器４７の電圧制御部に印加される。
【００５１】
そして、印加された電圧により、電圧制御発振器４７の発振信号周波数が変化し、基準発振器と位相同期した発振信号が出力端子４９から出力される。
【００５２】
ここで、基準発振器４１の出力信号には、基準信号周波数以外に整数倍の高調波信号を含んでおり、この高調波信号は、位相比較器４２では抑制することができない。しかしながら、位相比較器４２通過した基準発振器４１の高調波信号は、高調波フィルタ４６により抑制され、電圧制御発振器４７の電圧制御端子には印加されない。
【００５３】
従って、電圧制御発振器４７の出力端子４９から、変調入力端子４８に入力された変調信号によるスペクトラム拡散された信号のみが出力される。これにより、電子装置搭載機器からの放射ノイズが低減され、規定されたノイズレベル以下に抑制されたノイズ特性とすることができる。
【００５４】
［実施の形態５］
次に、本発明の第５の実施形態に係るクロック信号回路及び該クロック信号回路を搭載した電子装置搭載機器について、図５及び図６を参照して説明する。図５及び図６は、本実施形態における電子装置搭載機器のクロック信号回路用位相同期発振器のブロック図を示している。
【００５５】
図５に示すように、本実施の形態の位相同期発振器は、基準発振器５１、位相比較器５２、低域通過フィルタ５３、変調器５４、分周器５５、高調波フィルタ５６及び電圧制御発振器５７から構成されている。また、変調器５４には変調信号入力端子５８、電圧制御発振器５７には信号出力端子５９を有している。そして、位相同期発振器の電源端子６０から電源が供給される。以下、本実施の形態の動作につき説明する。
【００５６】
基準発振器５１の発振信号は位相比較器５２に入力される。一方、電圧制御発振器５７の出力信号は、分周器５５によって分周され、位相比較器５２に入力される。位相比較器５２に入力された基準発振器５１の発振信号と分周器５５の分周信号の位相が比較され、位相差に応じた信号電圧が、低域通過フィルタ５３、変調器５４を介して、電圧制御発振器５７の電圧制御部に印加される。
【００５７】
そして、印加された電圧により、電圧制御発振器５７の発振信号周波数が変化し、基準発振器５１と位相同期した発振信号が出力端子５９から出力される。
【００５８】
ここで、基準発振器５１の出力信号には、基準信号周波数以外に整数倍の高調波信号を含んでおり、この高調波信号は、電源回路でバイパスされないと電源端子６０に重畳する。しかしながら、電源端子６０に重畳した基準発振器の高調波信号は、高調波フィルタ５６により抑制され、位相同期回路の電源回路には重畳しない。
【００５９】
従って、電圧制御発振器５７の出力端子５９から、変調入力端子５８に入力された変調信号によるスペクトラム拡散された信号のみが出力される。これにより、電子装置搭載機器からの放射ノイズが低減され、規定されたノイズレベル以下に抑制されたノイズ特性とすることができる。
【００６０】
また、上記した図５に示す構成と、前記した第１乃至第４の実施の形態の構成とを組み合わせることも可能であり、例えば、図６に示すように、変調器６４と電圧制御発振器６９との間、電圧制御発振器６９と分周器６５との間、及び基準発振器６１の電源端子と位相同期回路の電源回路との間に高長波フィルタ６６、６７、６８を設けることもできる。このような構成によっても、電子装置搭載機器からの放射ノイズが低減され、規定されたノイズレベル以下に抑制されたノイズ特性とすることができる。
【００６１】
【発明の効果】
以上説明したように、本発明によれば、基準発振器の信号高調波が位相同期回路に印加されても高調波フィルタによって抑制されるため、電圧制御発振器に重畳することがなく、これにより電圧制御発振器からはスペクトラム拡散された信号のみが出力されるという効果が得られる。上記効果を図１１及び図１２を参照して説明する。
【００６２】
図１１は、基準発振器の高調波信号が高調波フィルタに抑制された位相同期発振器の出力信号高調波特性を示しており、図中の点線で示す変調されない出力信号高調波に比べ、実線で示すスペクトラム拡散された出力信号高調波レベルが低下していることが確認できる。
【００６３】
また、図１２は、スペクトラム拡散による出力信号高調波のレベル低減効果特性を示す図であり、図中の実線が、基準発振器の高調波が抑制されない場合を示し、点線が基準発振器の高調波が抑制された場合を示している。図から分かるように、出力信号高調波のレベル低減効果量が、高調波の次数が高次になればなるほど改善されていることが確認できる。
【００６４】
なお、本発明は上記各実施例に限定されるものではなく、本発明の技術思想の範囲内において、各実施例は適宜変更され得ることは明らかである。
【図面の簡単な説明】
【図１】本発明の第１の実施の形態に係る電子装置搭載機器のクロック回路用位相同期発振器のブロック図である。
【図２】本発明の第２の実施の形態に係る電子装置搭載機器のクロック回路用位相同期発振器のブロック図である。
【図３】本発明の第３の実施の形態に係る電子装置搭載機器のクロック回路用位相同期発振器のブロック図である。
【図４】本発明の第４の実施の形態に係る電子装置搭載機器のクロック回路用位相同期発振器のブロック図である。
【図５】本発明の第５の実施の形態に係る電子装置搭載機器のクロック回路用位相同期発振器のブロック図である。
【図６】本発明の第５の実施の形態に係る電子装置搭載機器のクロック回路用位相同期発振器のブロック図である。
【図７】従来の電子装置搭載機器のクロック回路用位相同期発振器のブロック図である。
【図８】従来の位相同期発振器の出力スペクトラム図である。
【図９】従来の位相同期発振器の出力高調波スペクトラム図である。
【図１０】従来の位相同期発振器の６５０ＭＨｚ高調波スペクトラム図である。
【図１１】本発明の位相同期発振器の出力高調波スペクトラム図である。
【図１２】本発明と従来例との位相同期発振器の高調波レベル低減効果を比較するための図である。
【符号の説明】
１、２１、３１、４１、５１、６１、７１  基準発振器
２、２２、３２、４２、５２、６２、７２  位相比較器
３、２３、３３、４３、５３、６３、７３  低域通過フィルタ
４、２４、３４、４４、５４、６４、７４  変調器
５、２５、３５、４５、５５、６５、７５  分周器
６、２６、３６、３７、４６、５６、６６、６７、６８  高調波フィルタ
７、２７、３８、４７、５７、６９  電圧制御発振器
８、２８、３９、４８、５８、７０ａ、７８  変調入力端子
９、２９、４０、４９、５９、７０ｂ、７７  出力端子
６０、７０ｃ  電源端子
８１  変調無しスペクトラム
８２  変調有りスペクトラム
１０１  変調幅
１０２  変調されないスペクトラム
【図１】
0003638124.tif 000002
【図２】
0003638124.tif 000003
【図３】
0003638124.tif 000004
【図４】
0003638124.tif 000005
【図５】
0003638124.tif 000006
【図６】
0003638124.tif 000007
【図７】
0003638124.tif 000008
【図８】
0003638124.tif 000009
【図９】
0003638124.tif 000010
【図１０】
0003638124.tif 000011
【図１１】
0003638124.tif 000012
【図１２】
0003638124.tif 000013